【手続補正書】
【提出日】平成23年5月27日(2011.5.27)
【手続補正１】
【補正対象書類名】明細書
【補正対象項目名】発明の名称
【補正方法】変更
【補正の内容】
【発明の名称】情報復号装置、情報復号方法、及び、プログラム
【手続補正２】
【補正対象書類名】明細書
【補正対象項目名】０００１
【補正方法】変更
【補正の内容】
【０００１】
本発明は、光を伝送媒体として情報を送受信する情報伝送システムに適用される情報復号装置、情報復号方法、及び、プログラムに関する。
【手続補正３】
【補正対象書類名】明細書
【補正対象項目名】０００６
【補正方法】変更
【補正の内容】
【０００６】
上記目的を達成するため、請求項１記載の発明は、外部に存在し、情報を時間的な光の変化に変調させて発光する複数の発光装置による発光を連続して受光する規則的に二次元配列された複数の受光素子からなる受光手段と、この受光手段が受光した光の変化から情報を夫々復号する復号手段と、この復号手段によって夫々復号された情報に含まれる共通情報と、前記複数の発光装置が発光した前記時間的な変化を有する光の前記受光手段における受光位置と、を対応付けて複数組記憶する記憶手段と、前記記憶手段が、更に境界線情報を複数記憶したか否かを判断する第１の判断手段と、この第１の判断手段により更に境界線情報を記憶したと判断すると、これら境界線情報が記憶された受光位置を線で結ぶように表示する表示手段と、を備えることを特徴とする。
【手続補正４】
【補正対象書類名】明細書
【補正対象項目名】０００７
【補正方法】変更
【補正の内容】
【０００７】
また、請求項２記載の発明は、上記請求項１記載の発明において、前記表示手段は、前記受光位置のうち前記境界線情報が記憶された複数の受光位置について線で結ぶとともに、前記境界線情報が記憶されていない受光位置がある場合はこの線で囲まれた領域の広がりの方向を示す情報を前記境界線情報が記憶されていない受光位置に向けて表示することを特徴とする。
【手続補正５】
【補正対象書類名】明細書
【補正対象項目名】０００８
【補正方法】変更
【補正の内容】
【０００８】
また、請求項３記載の発明は、上記請求項１又は２記載の発明において、前記記憶手段が、境界線情報に加え順番情報を記憶したか否かを判断する第２の判断手段を更に備え、前記表示手段は、前記記憶手段によって記憶された受光位置のうち、前記境界線情報が記憶された受光位置について前記順番情報に沿って線で結ぶように表示することを特徴とする。
【手続補正６】
【補正対象書類名】明細書
【補正対象項目名】０００９
【補正方法】変更
【補正の内容】
【０００９】
また、請求項４記載の発明は、上記請求項３記載の発明において、前記表示手段は、前記境界線情報が記憶された受光位置について前記順番情報に沿って線で結ぶとともに、前記順番情報において順番が飛んでいる受光位置については、この線で結ぶことなく、共に同じ領域の受光位置であることを示す情報を表示することを特徴とする。
【手続補正７】
【補正対象書類名】明細書
【補正対象項目名】００１０
【補正方法】変更
【補正の内容】
【００１０】
また、請求項５記載の発明は、上記請求項１乃至４の何れかに記載の発明において、前記共通情報は前記境界線情報で囲まれる範囲に共通する第１の表示情報を含み、前記表示手段は、前記境界線情報が記憶された受光位置を線で結び、且つ、その境界線で囲まれた範囲に前記第１の表示情報を表示することを特徴とする。
【手続補正８】
【補正対象書類名】明細書
【補正対象項目名】００１１
【補正方法】変更
【補正の内容】
【００１１】
また、請求項６記載の発明は、上記請求項１乃至５の何れかに記載の発明において、前記記憶手段が、前記共通情報に加え前記複数の発光装置に個別に設定された第２の表示情報を記憶したか否かを判断する第３の判断手段を更に備え、前記表示手段は、前記記憶された受光位置のうち、前記第２の表示情報が記憶された受光位置についてその受光位置の近くに前記第２の表示情報を表示することを特徴とする。
【手続補正９】
【補正対象書類名】明細書
【補正対象項目名】００１２
【補正方法】変更
【補正の内容】
【００１２】
上記目的を達成するため、請求項７記載の発明は、規則的に二次元配列された複数の受光素子を備える受光部にて、外部に存在し、情報を時間的な光の変化に変調させて発光する複数の発光装置による発光を連続して受光させる受光ステップと、この受光ステップにて受光された光の変化から情報を夫々復号する復号ステップと、この復号ステップにて夫々復号された情報に含まれる共通情報と、前記複数の発光装置が発光した前記時間的な変化を有する光の前記受光部における受光位置と、を対応付けて複数組記憶させる記憶ステップと、前記記憶ステップにて更に境界線情報を複数記憶したか否かを判断する判断ステップと、この判断ステップにて更に境界線情報を記憶したと判断すると、これら境界線情報が記憶された受光位置を線で結ぶように表示させる表示ステップと、を含むことを特徴とする。
【手続補正１０】
【補正対象書類名】明細書
【補正対象項目名】００１３
【補正方法】変更
【補正の内容】
【００１３】
上記目的を達成するため、請求項８記載の発明は、規則的に二次元配列された複数の受光素子を備える受光部を備える情報復号装置が備えるコンピュータを、外部に存在し、情報を時間的な光の変化に変調させて発光する複数の発光装置による発光を連続して受光させる受光手段、この受光手段によって受光された光の変化から情報を夫々復号する復号手段、この復号手段によって夫々復号された情報に含まれる共通情報と、前記複数の発光装置が発光した前記時間的な変化を有する光の前記受光部における受光位置と、を対応付けて複数組記憶させる記憶手段、前記記憶手段によって更に境界線情報を複数記憶したか否かを判断する判断手段、この判断手段によって更に境界線情報を記憶したと判断すると、これら境界線情報が記憶された受光位置を線で結ぶように表示させる表示手段、として機能させることを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】特許請求の範囲
【補正対象項目名】全文
【補正方法】変更
【補正の内容】
【特許請求の範囲】
【請求項１】
外部に存在し、情報を時間的な光の変化に変調させて発光する複数の発光装置による発光を連続して受光する規則的に二次元配列された複数の受光素子からなる受光手段と、
この受光手段が受光した光の変化から情報を夫々復号する復号手段と、
この復号手段によって夫々復号された情報に含まれる共通情報と、前記複数の発光装置が発光した前記時間的な変化を有する光の前記受光手段における受光位置と、を対応付けて複数組記憶する記憶手段と、
前記記憶手段が、更に境界線情報を複数記憶したか否かを判断する第１の判断手段と、
この第１の判断手段により更に境界線情報を記憶したと判断すると、これら境界線情報が記憶された受光位置を線で結ぶように表示する表示手段と、
を備えることを特徴とする情報復号装置。
【請求項２】
前記表示手段は、前記受光位置のうち前記境界線情報が記憶された複数の受光位置について線で結ぶとともに、前記境界線情報が記憶されていない受光位置がある場合はこの線で囲まれた領域の広がりの方向を示す情報を前記境界線情報が記憶されていない受光位置に向けて表示することを特徴とする請求項１記載の情報復号装置。
【請求項３】
前記記憶手段が、境界線情報に加え順番情報を記憶したか否かを判断する第２の判断手段を更に備え、
前記表示手段は、前記記憶手段によって記憶された受光位置のうち、前記境界線情報が記憶された受光位置について前記順番情報に沿って線で結ぶように表示することを特徴とする請求項１又は２記載の情報復号装置。
【請求項４】
前記表示手段は、前記境界線情報が記憶された受光位置について前記順番情報に沿って線で結ぶとともに、前記順番情報において順番が飛んでいる受光位置については、この線で結ぶことなく、共に同じ領域の受光位置であることを示す情報を表示することを特徴とする請求項３記載の情報復号装置。
【請求項５】
前記共通情報は前記境界線情報で囲まれる範囲に共通する第１の表示情報を含み、
前記表示手段は、前記境界線情報が記憶された受光位置を線で結び、且つ、その境界線で囲まれた範囲に前記第１の表示情報を表示することを特徴とする請求項１乃至４の何れかに記載の情報復号装置。
【請求項６】
前記記憶手段が、前記共通情報に加え前記複数の発光装置に個別に設定された第２の表示情報を記憶したか否かを判断する第３の判断手段を更に備え、
前記表示手段は、前記記憶された受光位置のうち、前記第２の表示情報が記憶された受光位置についてその受光位置の近くに前記第２の表示情報を表示することを特徴とする請求項１乃至５の何れかに記載の情報復号装置。
【請求項７】
規則的に二次元配列された複数の受光素子を備える受光部にて、外部に存在し、情報を時間的な光の変化に変調させて発光する複数の発光装置による発光を連続して受光させる受光ステップと、
この受光ステップにて受光された光の変化から情報を夫々復号する復号ステップと、
この復号ステップにて夫々復号された情報に含まれる共通情報と、前記複数の発光装置が発光した前記時間的な変化を有する光の前記受光部における受光位置と、を対応付けて複数組記憶させる記憶ステップと、
前記記憶ステップにて更に境界線情報を複数記憶したか否かを判断する判断ステップと、
この判断ステップにて更に境界線情報を記憶したと判断すると、これら境界線情報が記憶された受光位置を線で結ぶように表示させる表示ステップと、
を含むことを特徴とする情報復号方法。
【請求項８】
規則的に二次元配列された複数の受光素子を備える受光部を備える情報復号装置が備えるコンピュータを、
外部に存在し、情報を時間的な光の変化に変調させて発光する複数の発光装置による発光を連続して受光させる受光手段、
この受光手段によって受光された光の変化から情報を夫々復号する復号手段、
この復号手段によって夫々復号された情報に含まれる共通情報と、前記複数の発光装置が発光した前記時間的な変化を有する光の前記受光部における受光位置と、を対応付けて複数組記憶させる記憶手段、
前記記憶手段によって更に境界線情報を複数記憶したか否かを判断する判断手段、
この判断手段によって更に境界線情報を記憶したと判断すると、これら境界線情報が記憶された受光位置を線で結ぶように表示させる表示手段、
として機能させることを特徴とするプログラム。